(57)【要約】【課題】  管状部材の中に設計された可塑性物質でできたスリーブを具備し、スリーブは第１の終端に近接して閉口し、胴体はスリーブの接続端でスリーブと接続され、スリーブは第２の終端に近接する周縁エッジに沿って管状部材に取り付けられている汚物阻止用プレーシング装置を提供する。【解決手段】  コンテナとカバーを具備し、カバーは少なくとも１つの終端が開口している中空管状部材を含み、往復運動が可能な胴体を備え、カバーは、汚物が外側面から前記管状部材の中に分別されることが可能な第１の位置と、胴体が汚物を前記コンテナの中へと押し出すために、重力の影響により管状部材を下方に動かすことができる第２の位置との間で、コンテナに関連して回転可能な汚物阻止用プレーシング装置であって、管状部材の中に配置した可塑性物質でできたスリーブを具備し、スリーブは第１の終端に近接して閉口され、胴体は前記スリーブの閉口終端に近接してスリーブに接続され、スリーブは第２の終端に近接した周縁エッジに沿って管状部材に取り付けられている。【選択図】  図１
2008542152.tif 000002
【特許請求の範囲】
【請求項１】
コンテナとカバーを具備し、前記カバーは少なくとも１つの終端が開口している中空管状部材を含み、往復運動が可能な胴体を備え、前記カバーは、汚物が外側面から前記管状部材の中に分別されることが可能な第１の位置と、前記胴体が前記汚物を前記コンテナの中へと押し出すために、重力の影響により、前記管状部材を下方に動かすことができる第２の位置との間で、前記コンテナに関連して回転可能であり、汚れたおむつのような汚物に対する汚物阻止用プレーシング装置であって、前記管状部材の中に配置した可塑性物質でできたスリーブを具備し、前記スリーブは第１の終端に近接して閉口され、前記胴体は前記スリーブの閉口終端に近接して前記スリーブに接続され、前記スリーブは第２の終端に近接した周縁エッジに沿って前記管状部材に取り付けられていることを特徴とする汚物阻止用プレーシング装置。
【請求項２】
前記胴体は、前記スリーブに対して着脱可能に接続されている請求項１に記載の汚物阻止用プレーシング装置。
【請求項３】
前記スリーブは、閉口終端に近接したコンパートメントを具備し、前記胴体が適合されている請求項１又は２に記載の汚物阻止用プレーシング装置。
【請求項４】
前記胴体が、シリンダとして設定される前記管状部材の内部で、往復運動を可能にしたディスクで構成されている請求項１乃至３のいずれかに記載の汚物阻止用プレーシング装置。
【請求項５】
前記スリーブが、前記管状部材に対して、着脱可能に取り付けられている請求項１乃至４のいずれかに記載の汚物阻止用プレーシング装置。
【請求項６】
前記スリーブが周縁エッジの位置にばねリングを含んでいる請求項５に記載の汚物阻止用プレーシング装置。
【請求項７】
前記スリーブが内側面上で前記管状部材に取り付けられている請求項１乃至６のいずれかに記載の汚物阻止用プレーシング装置。
【請求項８】
前記管状部材が前記スリーブの周縁エッジを受け入れるために前記内側面上の周縁溝と共に備えられている請求項７に記載の汚物阻止用プレーシング装置。
【請求項９】
前記コンテナは、積み重ねができる少なくとも２つの着脱可能な相互連結型胴体セグメントを具備し、前記セグメントの最下部は、前記コンテナの下部として成る請求項１乃至８のいずれかに記載の汚物阻止用プレーシング装置。
【請求項１０】
請求項１乃至９に記載の汚物阻止用プレーシング装置を使用するのに適し、前記管状部材に対して着脱可能に取り付けられることを特徴とするスリーブ。
【発明の詳細な説明】
【技術分野】
【０００１】
本発明は、特に汚れたおむつのような汚物に対する汚物阻止用プレーシング装置に関し、コンテナとカバーを具備し、前記カバーは、少なくとも１つの終端が開口している中空管状部材を含み、往復運動が可能な胴体を備え、汚物が外側面から前記管状部材の中に分別されることが可能な第１の位置と、前記胴体が、前記汚物を前記コンテナの中へと押し出すために、重力の影響により、前記管状部材を下方に動かすことができる第２の位置との間で、前記カバーと前記コンテナは回転可能になっている。本発明に記載の「おむつ」に関して、子供用だけでなく大人用失禁対策おむつにも関連している。
【背景技術】
【０００２】
上述のような汚物阻止用プレーシング装置は、欧州特許第７７６３０５号公報（特許文献１）に開示されている。特許文献１に開示されている装置は、カバーが一方向バルブを形成し、管状部材はシリンダとして構成され、胴体は往復スライド運動を可能にするピストンとして構成されている。特許文献１に記載の装置のカバーは、第１の位置のときは、汚物はシリンダの中に分別され、その時カバーは、第２の位置まで回転されることができる。前述の回転中、ピストンは、コンテナに汚物を押し出すための重力の影響により下向きに動いている。特許文献１で説明されるカバーは、汚物が第１及び第２の位置でシリンダに分別されるため、２つの開口末端を有している。ゴム製のＯ‐リングは、臭い漏れ及び液漏れ防止用シールを備えている。
【０００３】
実際には、特許文献１に記載のプレーシング装置が持っている欠点は、ピストン及びシリンダを清浄にするのが難しいことである。ピストンとシリンダは、汚物に直接接触することになり、接触直前には、シリンダの中でピストンが明確に適合しているが故に、清掃が難しいことがある。
【特許文献１】欧州特許第７７６３０５号公報
【発明の開示】
【発明が解決しようとする課題】
【０００４】
上述の事情に鑑み、本発明の目的は、管状部材の中に設計された可塑性物質でできたスリーブを具備し、前記スリーブは第１の終端に近接して閉口し、胴体はスリーブの接続端で前記スリーブと接続され、前記スリーブは第２の終端に近接する周縁エッジに沿って管状部材に取り付けられていることを特徴とする汚物阻止用プレーシング装置を提供することにある。可塑性（フレキシブル）スリーブを使用することは、手作業で容易に清掃できるという利点があり、特に前記スリーブには、例えばナイロンなどのようなプラスチック類を用いると、清掃可能である。胴体が汚物によって汚染されないようにするために、胴体は特に、スリーブの開口末端から遠隔にある閉口末端の側面上でスリーブに接続される。前記胴体は、原則的に適当な形であるが、重力の影響により動かすことが可能である主要部を持つということが重要である。
【課題を解決するための手段】
【０００５】
本発明の装置における好ましい態様は、胴体が分離できるようにスリーブに接続されていることである。このようにすることで、清掃、取替若しくは胴体を分離して修理することが可能となり、必要であれば、スリーブは可能な限りシリンダ内部に残すことが可能である。
【０００６】
本発明の装置における別の態様は、スリーブが、閉口末端付近にコンパートメントを具備し、胴体が適合されている。胴体が、前記コンパートメントに設置された後は、前記コンパートメントを例えばジッパー或いはベルクロ（Ｖｅｌｃｒｏ）によって閉じることができ、必要ならば、後に再び開けることができる。
【０００７】
本発明の装置における別の態様は、胴体が、シリンダとして構成される管状部材中で、往復運動可能なディスクによって形成される。前記ディスクには、重みが加えられる。
【０００８】
本発明の装置における別の態様は、スリーブが、管状部材に対して、着脱可能に取り付けられている。これは、交換可能要素としてのスリーブを設計することを可能にすることであり、言い換えれば、暫時使用中のスリーブを置き換えるために、分離して獲得できるような製品は検査済みである。スリーブは、特に周縁エッジの位置にあるばねリングを含んでいる。本発明で使用されているばねリングは、開始位置から動かせることができ、第１の周縁エッジと小さめの第２の周縁エッジ（その逆の場合もあり）を共に押圧するような弾性物質から成るリングと解されている。前記リングを共にプレスすること及び周縁エッジの寸法を減らすことによって、スリーブを容易に管状部材に挿入することができる。リングが後に再び緩められるときは、リングは開始（最初の）位置に戻り、シリンダ中でリング自身がロックできるようになる。むしろ、リングは、共にプレスされることが可能な、可塑性でスリーブに合うようなゴムリングとして構成される。
【０００９】
本発明の装置における別の態様は、スリーブは、内側から管状部材に接続されている。むしろ、前記管状部材は、スリーブの周縁エッジを受けるために、周縁溝と共に内側に備えられている。もし、スリーブがばねリングと共に備えられていると、前述したように、前記リングは周縁溝中にてフィットする。
【００１０】
本発明の装置における別の態様は、コンテナは、積み重ねができる少なくとも２つの着脱可能な相互連結型セグメントを具備し、前記セグメントの最下部は、前記コンテナの下部として成っている。これにより、輸送を促進し、一方で使用者が本発明の装置を選択的に減少或いは増大できるようにできる。
【００１１】
本発明はまた、本発明の装置を使用の際に分離できるスリーブに関し、スリーブが管状部材から着脱可能である。
【発明を実施するための最良の形態】
【００１２】
以下、本発明の実施形態を、図面を参照して詳細に説明する。
【００１３】
図1は、特に大人用失禁防止用おむつのような汚物に対する汚物（図示せず）阻止用プレーシング装置１を示しており、プレーシング装置１はコンテナ２とカバー３を具備している。コンテナ２は、上から順に４つの胴体セグメント４ａ、４ｂ、４ｃ、４ｄから成り、これらのセグメントのうち最も低いところにあるセグメント４ｄはまた、コンテナ２の最底部である。カバー３は、開口している２つの側面部５、６を有する中空シリンダ７と、上下にスライド可能なディスク８（その具体的な図は図２及び３にて後述する）を備えている。カバー３は、コンテナ２の中に汚物にまみれたおむつを押し出すために、前記おむつをシリンダ７の中に堆積させることができるような第１の位置から、ディスク８が重力の影響下でシリンダ７の中で上下にスライドできるような第２の位置へと（その逆の場合もあり）、ハンドル９によって、コンテナ２に関係した回転軸１０を軸に、手動で回転させることができる。
【００１４】
図２を参照すると、コンテナ２のセグメント４ｂは、通常のゴミ袋又は使用済みおむつ保管用ゴミ袋のような、自由度のある（可塑性に富んだ）材質でできたバッグ１１を設置してサポートするように構成されている。暫時、バッグ１１は、図２に示すような開口位置まで、セグメント４ｂに沿った回転軸１２をもって、セグメント４ａを回転させることによって交換することが可能となる。バッグ１１を交換した後は、セグメント４ｂ中で同じように長方形の形をした開口部１４の中にスナッピングしたセグメント４ａの弁１３と一体となって、セグメント４ａは、回転軸１２に沿って再度閉口位置へと回転させることができる。弁１３は、押しボタン１５によって、何度も解除される。カバー３の両側には、横方向に広がっている突起１６が備え付けられ、突起１６は、コンテナ２の最上部セグメント４ａに設けた凹部１７に挿入できるようになっている。突起１６がベアリングを形作るなら、前述の第１及び第２の位置の間でカバー３を回転させることが可能になる。図２が示すのは、シリンダ７は、その内側にフレキシブルなスリーブ１８を備え、図１に示されている符号（番号）に相当する部分と同じ符号（番号）が、図２にも示されている。
【００１５】
コンテナ２及びカバー３を明確化するための断面図を部分的に示す、図３（ａ）乃至図３（ｃ）は、図１及び２における汚物阻止用プレーシング装置１のオペレーションステップを示している。図３（ａ）乃至図３（ｃ）が示すのは、フレキシブルなスリーブ１８が、シリンダ７の内側に備えられている。スリーブ１８は、一方の端がディスク８によって閉じられており、ディスク８は、コンパートメント或いはスリーブ１８のチャンバ１９に適応される端部となる。従って、ディスク８はコンパートメント１９中で保持されている。スリーブ１８の自由末端では、スリーブ１８は、周縁エッジ２０の位置でばねリング２１を備えており、ばねリング２１は、シリンダ７の内側面の周縁溝２２と適合している。ばねリング２１を共にプレスすることで、周縁エッジの規模を減らすことによって、ばねリング２１を難なくスリーブ１８と共に、シリンダ７の内外に動かすことができる。ばねリング２１は、解除されれば、最初の所定位置に戻る。図３（ａ）では、カバー３が前記第１の位置に示されている。つまり、その第１の位置とは、汚染された失禁用おむつが、そのために開口終端５を経由してシリンダ７の中に堆積されることができる位置のことを指す。カバー３は、図１及び２に示されているハンドル９によって、コンテナ２（図３（ｂ））に関連する回転軸１０を軸に回転されることが可能である。前記回転中、シリンダ７の開口終端６を経由して、コンテナ２に汚染された失禁用おむつを押しやるために、ディスク８は、（おむつの）量やそれに伴う重力によって押しやられる。シリンダ７が２つの開口終端５及び６を有することで、カバー３は、直ちに、第２の位置へと再び汚染された失禁用おむつを収容し始める。
【００１６】
スリーブ１８が、ばねリング２１によって、着脱可能となるようにシリンダ７に設置されることについて言及する。即ち、スリーブ１８がシリンダ７から着脱され、ディスク８がコンパートメント１９から除去された後は、スリーブ１８は、分離して清掃又は使い捨て部品として使い捨てにされるかのどちらかができ、新しい部品と交換できる。
【００１７】
図４は、模式的なスリーブ１８の透視図であり、この図の符号（番号）は前述の図（図１乃至３）の符号（番号）は同じである。フレキシブルなリングを、ばねリング２１の代わりに用いる可能性が考えられる。図１、図２及び図３では、カバー３の２つの終端５及び６が、望ましくはゴム製の封止用リング２３を備えられることが示されている。
【００１８】
図５（ａ）乃至５（ｃ）は、図３（ａ）乃至図３（ｃ）に相当しているが、図３（ａ）乃至図３（ｃ）との違いは、中空シリンダ７が終端６のみが開口していることと、終端５は必然的に閉口し、スリーブ１８が部分的にシリンダ７の内側面ではなく近接終端に備えられているということである。更に変形すると、スリーブ１８は、終端６にさえ近接して備えられている。ただし、部品の符号（番号）は図３（ａ）乃至図３（ｃ）及び図５（ａ）乃至図５（ｃ）は一致している。図５（ａ）乃至図５（ｃ）でもまた、カバー３は、コンテナ２の中に汚物にまみれたおむつを押し出すために、前記おむつをシリンダ７（図５（ｃ））の中に堆積させることができるような第１の位置から、ディスク８が重力の影響下でシリンダ７の中に押し込むことができるような第２の位置へと（その逆の場合もあり）ハンドル９によって、コンテナ２（図５（ａ）及び図５（ｂ）にそれぞれ記載）に関連して手動で回転させることができる。
【００１９】
本発明は上述に示した実施形態だけでなく、本発明の特許請求の範囲に記載の発明を変形した形態にも適用され得る。
【図面の簡単な説明】
【００２０】
【図１】本発明の汚物阻止用プレーシング装置の遠近図である。
【図２】図１に記載の汚物阻止用プレーシング装置の分解図である。
【図３】図１及び図２に記載の汚物阻止用プレーシング装置の作用（働き）を示す図である。
【図４】図１乃至３に記載の汚物阻止用プレーシング装置の透視図である。
【図５】図３に記載の汚物阻止用プレーシング装置の作用（働き）の変形態様を示す図である。
【符号の説明】
【００２１】
１          汚物阻止用プレーシング装置
２          コンテナ
３          カバー
４ａ〜ｄ    胴体セグメント
５，６      側面部（カバーの終端）
７          中空シリンダ
８          ディスク
９          ハンドル
１０，１２  回転軸
１１        バッグ
１３        弁
１４        開口部
１５        押しボタン
１６        突起
１７        凹部
１８        スリーブ
１９        チャンバ（コンパートメント）
２０        周縁エッジ
２１        ばねリング
２２        周縁溝
２３        封止用リング
【図１】
2008542152.tif 000003
【図２】
2008542152.tif 000004
【図３】
2008542152.tif 000005
【図４】
2008542152.tif 000006
【図５】
2008542152.tif 000007
【国際調査報告】
2008542152.tif 000008
2008542152.tif 000009